(57)【要約】【課題】ロータの内側に配置される部材等に釣糸が食い込んだり絡み付いたりする現象を防止することができ、魚釣操作性に優れた魚釣用スピニングリールを提供する。【解決手段】リール本体１と、リール本体１に設けられたハンドル５の回転操作に連動回転するロータ３を備え、ロータ３のアーム部３２に設けたラインガイド３５を介して、スプール４に釣糸を巻回する魚釣用スピニングリールにおいて、ロータ３の内側においてリール本体１の前部に設けられ、ロータ３の内側に配置される部材を収容する筒状の保護カバー２０と、を備え、保護カバー２０の外周部から径方向外側に突出する釣糸係止部を設けた構成とした。【選択図】図１
2014166157.tif 000002
【特許請求の範囲】
【請求項１】
リール本体と、前記リール本体に設けられたハンドルの回転操作に連動回転するロータとを備え、前記ロータのアーム部に設けたラインガイドを介して、スプールに釣糸を巻回する魚釣用スピニングリールにおいて、
前記ロータの内側において前記リール本体の前部に設けられ、前記ロータの内側に配置される部材を収容する筒状の保護カバーと、を備え、
前記保護カバーの外周部から径方向外側に突出する釣糸係止部を設けたことを特徴とする魚釣用スピニングリール。
【請求項２】
前記釣糸係止部は、前記保護カバーの前部に設けられていることを特徴とする請求項１に記載の魚釣用スピニングリール。
【請求項３】
前記保護カバーは、胴部と、前記胴部の前端に装着される蓋部とを含んで構成されており、
前記蓋部に前記釣糸係止部が設けられていることを特徴とする請求項２に記載の魚釣用スピニングリール。
【請求項４】
前記胴部は、前記リール本体を構成するリール本体に一体形成されていることを特徴とする請求項３に記載の魚釣用スピニングリール。
【請求項５】
前記釣糸係止部は、前記保護カバーの後部に設けられていることを特徴とする請求項１に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、釣糸を案内するラインローラが設けられたベール支持部材を有するアーム部、およびアーム部が連結される筒部を有して構成されるロータと、釣糸が巻回されるスプールと、を備えている。
【０００３】
ところで、魚釣用スピニングリールは、釣糸の放出または巻き取りの一連の操作の中で、釣糸の巻き付け状態が崩れて釣糸が解れたり、張力変化、風の影響等による糸ふけ現象により釣糸の巻き付け位置が後方へずれたりすることがあり、例えば、解れた釣糸がロータの内側等に侵入してロータの内側に配置される部材等に釣糸が食い込んだり絡み付いたりする現象が発生するおそれがあった。
このような現象が生じると魚釣操作性が損なわれてしまう。
【０００４】
一方、魚釣用スピニングリールの軽量化を図る目的で、ロータのアーム部や筒部に開口部を形成したものが知られている（特許文献１，２参照）。
【先行技術文献】
【特許文献】
【０００５】
【特許文献１】特許第４９３９５７３号公報
【特許文献２】特開２０１２−２９６５０号公報
【発明の概要】
【発明が解決しようとする課題】
【０００６】
特許文献１，２に記載された魚釣用スピニングリールでは、ロータの軽量化を図ることが可能であるが、開口部が大きく形成されることによりリール本体の前部とロータとの間の隙間が広がる傾向にある。このため、前記隙間を通じた釣糸の侵入リスクが高まるという課題があった。
【０００７】
本発明は、前記課題を解決するためになされたものであり、ロータの内側に配置される部材等に釣糸が食い込んだり絡み付いたりする現象を防止することができ、魚釣操作性に優れた魚釣用スピニングリールを提供することを目的とする。
【課題を解決するための手段】
【０００８】
前記目的を達成するために発明の魚釣用スピニングリールは、リール本体と、前記リール本体に設けられたハンドルの回転操作に連動回転するロータを備え、前記ロータのアーム部に設けたラインガイドを介して、スプールに釣糸を巻回する魚釣用スピニングリールにおいて、前記ロータの内側において前記リール本体の前部に設けられ、前記ロータの内側に配置される部材を収容する筒状の保護カバーと、を備え、前記保護カバーの外周部から径方向外側に突出する釣糸係止部を設けたことを特徴とする。
【０００９】
この魚釣用スピニングリールによれば、魚釣操作中に、釣糸がリール本体の前部とロータとの間に侵入しても、釣糸係止部により保護カバー上に釣糸を係止することができ、釣糸係止部よりも前方へ釣糸が移動するのを規制することができる。
【００１０】
また、本発明は、「前記釣糸係止部は、前記保護カバーの前部に設けられている」ことを特徴とする。
【００１１】
この魚釣用スピニングリールによれば、釣糸係止部よりも前方へ釣糸が移動するのを確実に規制することができる。
【００１２】
また、本発明は、「前記保護カバーは、胴部と、前記胴部の前端に装着される蓋部とを含んで構成されており、前記蓋部に前記釣糸係止部が設けられている」ことを特徴とする。
【００１３】
この魚釣用スピニングリールによれば、蓋部を胴部に装着することで、保護カバーに釣糸係止部を簡単に設けることができる。
【００１４】
また、本発明は、「前記胴部は、前記リール本体に一体形成されている」ことを特徴とする。
【００１５】
この魚釣用スピニングリールによれば、リール本体に一体形成された胴部に蓋部を装着することで、リール本体に釣糸係止部を簡単に設けることができる。
【００１６】
また、本発明は「前記釣糸係止部は、前記保護カバーの後部に設けられている」ことを特徴とする。
【００１７】
この魚釣用スピニングリールによれば、リール本体とロータとの開口の入口付近で釣糸係止部に釣糸を係止することができる。
【発明の効果】
【００１８】
本発明によれば、釣糸係止部により保護カバー上に釣糸を係止することができ、釣糸係止部よりも前方へ釣糸が移動するのを規制することができるので、ロータ内側に配置される部材等に釣糸が食い込んだり絡み付いたりする現象を防止することができる。これにより、魚釣操作性に優れた魚釣用スピニングリールが得られる。
【００１９】
また、保護カバーの前部に釣糸係止部を設けることで、釣糸係止部よりも前方へ釣糸が移動するのを確実に規制することができるので、ロータ内側に配置される部材等に釣糸が食い込んだり絡み付いたりする現象を好適に防止することができる。
【００２０】
また、保護カバーが、胴部と、蓋部とを含む構成では、蓋部を胴部に装着することで、保護カバーに釣糸係止部を簡単に設けることができるので、生産性が向上する。
【００２１】
また、保護カバーの胴部が、リール本体に一体形成されている構成では、リール本体に一体形成された胴部に蓋部を装着することで、リール本体に釣糸係止部を簡単に設けることができるので、コストの低減が可能であるとともに生産性が向上する。
【００２２】
また、保護カバーの後部に釣糸係止部を設けることで、リール本体とロータとの開口の入口付近で釣糸を係止することができるので、リール本体とロータとの開口を通じて釣糸が侵入することがなく、ロータ内側に配置される部材等に釣糸が食い込んだり絡み付いたりする現象を確実に防止することができる。
【図面の簡単な説明】
【００２３】
【図１】本発明の第１実施形態に係る魚釣用スピニングリールの全体構成を示す図である。
【図２】（ａ）はロータの側面図、（ｂ）は図２（ａ）のＡ−Ａ線に沿う模式断面図である。
【図３】図１の魚釣用スピニングリールの要部拡大断面図である。
【図４】図３の断面を磁気シール機構のボルトを通る断面で示した要部拡大断面図である。
【図５】保護カバーとロータとの間に釣糸が入り込むときの様子を示す説明図である。
【図６】（ａ）は本発明の第２実施形態に係る魚釣用スピニングリールの要部拡大断面図、（ｂ）は保護カバーとロータとの間に釣糸が侵入するときの様子を示す説明図である。
【図７】（ａ）は本発明の第３実施形態に係る魚釣用スピニングリールの図４に相当する要部拡大断面図、（ｂ）は保護カバーとロータとの間に釣糸が侵入するときの様子を示す説明図である。
【発明を実施するための形態】
【００２４】
以下、本発明に係る魚釣用スピニングリールの実施形態について図面を参照して説明する。各実施形態において、同一の部分には同一の符号を付し、重複する説明は省略する。なお、以下の説明において、「前後」「上下」を言うときは、図１に示した方向を基準とする。
【００２５】
（第１実施形態）
図１に示すように、主として、魚釣用スピニングリールは、図示しない釣竿に装着するための脚部１Ａが形成されたリール本体１（例えば、金属から形成される）と、リール本体１の前方に回転可能に設けられたロータ３と、このロータ３の回転運動と同期して前後方向移動可能に設けられたスプール４とを有して構成される。
リール本体１は、側部開口が蓋部材１Ｂで閉塞されており、ロータ３の内側において、リール本体１の前部には、筒状の保護カバー２０（図２参照）が装着されている。
【００２６】
リール本体１には、図示しない軸受を介してハンドル軸２が回転可能に支持されており、ハンドル軸２の図示しない突出端部には、巻き取り操作されるハンドル５が取り付けられている。ハンドル軸２には、図示しない軸筒が、回り止めされて固定されている。この軸筒には、ロータ３を巻き取り駆動するための内歯が形成されたドライブギヤ６が一体的に形成されている。このドライブギヤ６は、ハンドル軸２と直交する方向に延出するとともに内部に軸方向に延出する空洞部を有する回転軸筒８のピニオンギヤ８ａに噛合している。
【００２７】
回転軸筒８は、ピニオンギヤ８ａの前側と後側において、軸受１２ａ、１２ｂを介してリール本体１に回転可能に支持されている。また、回転軸筒８はスプール４側に向けて延出しており、その先端部にロータ３がロータナット３ａを介して取り付けられている。
ピニオンギヤ８ａの前側の軸受１２ａは、その後端がピニオンギヤ８ａの前端、およびリール本体１の前端部中央に形成された凹所の支持部１ｂに突き当てられて保持されている。また、軸受１２ａは、前端が転がり式一方向クラッチ１０の内輪１３によって軸方向で抜け止めされている。
一方、ピニオンギヤ８ａの後側の軸受１２ｂは、ピニオンギヤ８ａの後端とリール本体１に形成された支持部１ｆとの間で挟持されることにより軸方向から固定されている。
【００２８】
一方向クラッチ１０は、ハンドル５（ロータ３）の釣糸放出方向への逆回転を防止する公知の逆転防止機構（ストッパ）を構成している。
一方向クラッチ１０は、リール本体１の下部に設けられた切換部材１１に連動しており、切換部材１１を回動操作することで、一方向クラッチ１０が作動状態と非作動状態とに切り換えられるように構成されている。この場合、切換部材１１を作動状態に切り換えることで、ハンドル５（ロータ３）の逆転方向の回転（釣糸放出方向の回転）が防止されるようになっている。
このような一方向クラッチ１０は、保護カバー２０によってその外周が包囲されて保護されている。
【００２９】
回転軸筒８の内部には、空洞部が形成されており、この空洞部には、摺動可能なクリアランスを有してスプール軸９が挿通支持されている。スプール軸９の後端には、スプール４（スプール軸９）を前後往復動させるための公知のスプール往復動装置１５が係合している。
【００３０】
このような構成を有する魚釣用スピニングリールにおいて、ハンドル５により巻き取り操作を行うと、ロータ３が巻き取り駆動機構を介して回転駆動されるとともに、スプール４がスプール往復動装置１５を介して前後往復動されるので、釣糸は、ロータ３のラインガイド３５（図２（ａ）参照）を介してスプール４の巻回胴部４ａに均等に巻回されるようになる。
【００３１】
ロータ３は、図２（ａ）に示すように、略円筒状に形成された筒部３１を備えており、その外周には、略１８０°間隔おいて一対のアーム部３２が形成されている。各アーム部３２は、筒部３１の後部（リール本体１側）から径方向外方に突き出した連結部３２ａを介して筒部３１に一体形成されており、連結部３２ａから軸方向に延出している。これにより、筒部３１と各アーム部３２との間には隙間Ｓ１が形成され、この部分に、スプール４のスカート部４ｃ（図１参照）が位置するようになっている。
【００３２】
図２に示すように、一対のアーム部３２の先端には、公知のように、支持部材３３が支軸３４を中心として釣糸巻き取り位置と釣糸放出位置との間で反転可能に支持されており、一方の支持部材３３の先端部には、ラインローラ（釣糸案内部）３５が設けられている。また、両支持部材３３の間には、ベール３８が設けられており、支持部材３３が釣糸放出位置から釣糸巻き取り位置へ反転した際、釣糸をピックアップしてラインガイド３５へ案内する。なお、ベール３８を備えていない構成（ベールレスタイプ）であってもよい。
【００３３】
なお、一対のアーム部３２のうち、一方のアーム部３２の内部には、支持部材３３を釣糸巻き取り位置と釣糸放出位置との間で反転させて振り分け保持する反転保持機構（図示せず）が配設されている。また、一対のアーム部３２には、補強部材３７が設けられている。
補強部材３７は、一対のアーム部３２間で架設された構造となっており、一方のアーム部３２の側部から他方のアーム部３２の側部に向けて後方に向けて湾曲するアーチ状（略∪字状、リール本体１に向けて湾曲凸状）に形成されている。なお、補強部材３７は、アーム部３２を挟んで両側に設けておくことが好ましく、両側に設けられた補強部材３７は、好ましくは略同一の形状とされ、図２（ｂ）に示すように、アーム部３２の側部の前部（支持部材３３が設けられる部分、図２（ａ）参照）から後方に向かって延出し、後方側に移行するにつれて、相互に離間する形状となっている。すなわち、両アーム部３２が対向する方向の側面視において、略ハの字型となる形状（後方へ向けて広がる形状）とされている。
【００３４】
補強部材３７に対向している筒部３１の周壁面３１ａは、軽量化を目的として大きく切り欠かれており、開口部３６が設けられている。開口部３６は、アーム部３２が形成される位置に対して略９０°の対向する位置に形成されている。
開口部３６は、前縁部３０１と、前縁部３０１に連続する側縁部３０２，３０２と、を備える。前縁部３０１は、側面視で略直線状を呈し、側縁部３０２，３０２は、連結部３２ａに向けて広がる傾斜状とされている。
このような補強部材３７は、図３に示すように、その後端部３７ａがリール本体１の基端部１ｃの斜め前方において、基端部１ｃ等に接触することのない隙間Ｓ２を空けて配置されている。これにより、ロータ３の好適な回転が確保されている。
【００３５】
保護カバー２０は、前記したようにリール本体１の前部に装着されるようになっており、キャップ状（環状カバー体）を呈している。保護カバー２０は、図３に示すように、胴部２１と蓋部２２とを有しており、樹脂材等によりこれらが一体形成されてなる。なお、保護カバー２０にはメッキ処理が施されており、ボルト３９（図４参照）により、リール本体１の前部に対して取り付け取り外し可能に設けられている。
【００３６】
胴部２１は、円筒状を呈しており、リール本体１の前部をスプール軸９周りに囲繞して一方向クラッチ１０等を保護する役割をなす。胴部２１の内側には、同心円筒状に内側周壁部２４が形成されている。内側周壁部２４は、蓋部２２の内縁部２２ａから後方に延設されており、一方向クラッチ１０の前部側を囲繞している。内側周壁部２４の後端は、リール本体１の前部に設けられた円筒端１ｄに突き合わされている。
なお、胴部２１の後端部２１ｂは、リール本体１の前部の基端に形成された段差部１ａにシール材１ｅを介して接合される。
【００３７】
蓋部２２は、前面側から見て円環状（不図示）を呈しており、その外周部には、蓋部２２の径方向外側に延出して釣糸係止部として機能する鍔部２３が一体形成されている。鍔部２３は、周方向に連続して形成されており、対向するロータ３の内面（筒部３１の内面）に非接触状態に設けられつつ、後記するように侵入した釣糸Ｌが係止される壁を構成している。
【００３８】
蓋部２２の内縁部２２ａには、内縁部２２ａで囲まれる開口をシールする磁気シール機構２５が取り付けられている。
磁気シール機構２５は、図４に示すように、磁石２５ａと、保持部材（磁気リング）２５ｂと、内輪１３と、磁性流体２５ｃと、を備え、１つのユニットとして構成される。磁石２５ａは、円環状を呈しており、回転軸筒８を所定の隙間を存して囲うように配置されている。保持部材２５ｂは、磁石２５ａを前後から保持する部材であり、円環状を呈している。内輪１３は、一方向クラッチ１０の一部を構成している筒状の磁性体であり、回転軸筒８に回り止め嵌合されて一方向クラッチ１０に嵌入され、磁石２５ａとの間に磁気回路を形成するものである。
なお、磁性流体２５ｃは、例えば、Ｆｅ３Ｏ４のような磁性微粒子を、界面活性剤およびベースオイルに分散させて構成されたものであり、粘性があって磁石を近づけると反応する特性を備えている。このため、磁性流体２５ｃは、磁石２５ａおよび保持部材２５ｂ、さらに、磁性体としての内輪１３によって形成される磁気回路によって、凹所２５ｅ内および磁石２５ａ周りに形成される隙間に安定して保持され、内縁部２２ａで囲まれる開口をシールする。
【００３９】
前側に配置される保持部材２５ｂは、図４に示すように、径方向に延出する延出部２５ｂ１を有しており、この延出部２５ｂ１に挿通されるボルト３９を介して、磁気シール機構２５が蓋部２２の内縁部２２ａに固定されるようになっている。なお、ボルト３９は、リール本体１の円筒端１ｄに螺合され、この螺合により保護カバー２０がリール本体１の前部に取り付けられるようになっている。
【００４０】
次に、図５を参照して、リール本体１の前部とロータ３との間に釣糸Ｌが侵入した際の作用について説明する。
釣糸Ｌの放出または巻き取りの一連の操作の中で、図５に示すように、釣糸Ｌの巻き付け状態が崩れて釣糸Ｌが解れたり、張力変化、風の影響等による糸ふけ現象により釣糸Ｌの巻き付け位置が後方へずれたりして、例えば、ロータ３の補強部材３７の後端部３７ａとリール本体１の前部（前部の基端部１ｃ）との隙間Ｓ２から保護カバー２０上へ釣糸Ｌが侵入すると（入り込むと）、保護カバー２０の胴部２１に釣糸Ｌが巻き付く状態となる。
【００４１】
胴部２１に巻き付いた釣糸Ｌは、釣糸巻き付け時の張力（または釣糸Ｌの放出時の張力）により、胴部２１の外周面に沿って胴部２１の後部側から前部側へ移動する。その後、釣糸Ｌは、保護カバー２０の前部の鍔部２３へ近付いてこれに当接し、鍔部２３に係止される。ここで、鍔部２３は、保護カバー２０の前部に設けられており、ロータ３の内側における保護カバー２０の前部周りの比較的狭い空間内にて壁状とされているので、保護カバー２０上を移動してきた釣糸Ｌは、鍔部２３に確実に係止されることとなり、鍔部２３よりも前方への移動が規制されて保護カバー２０上に保持される。
【００４２】
これにより、ロータ３の内側に配置される部材等に釣糸Ｌが食い込んだり絡み付いたりする現象を防止することができる。
【００４３】
以上説明した本実施形態の魚釣用スピニングリールによれば、鍔部２３により保護カバー２０上に釣糸Ｌを係止することができ、鍔部２３よりも前方へ釣糸Ｌが移動するのを規制することができるので、ロータ３の内側に配置される部材等、例えば、磁気シール機構２５等に釣糸Ｌが食い込んだり絡み付いたりする現象を防止することができる。これにより、魚釣操作性に優れた魚釣用スピニングリールが得られる。
【００４４】
また、保護カバー２０の前部に鍔部２３が設けられているので、鍔部２３よりも前方へ釣糸Ｌが移動することを確実に規制することができる。これにより、ロータ３の内側に配置される部材等、例えば、磁気シール機構２５等に釣糸Ｌが食い込んだり絡み付いたりする現象を好適に防止することができる。
【００４５】
なお、鍔部２３は、後方へ向けて傾斜状に延出するように形成してもよく、また、釣糸Ｌが係止され易いように、断面Ｌ字形状（鍔部２３の先端部が後方へ向けて折曲されている形状等）に形成してもよい。また、鍔部２３を別体で形成して蓋部２２に取り付けるように構成してもよい。
【００４６】
（第２実施形態）
図６を参照して第２実施形態の魚釣用スピニングリールについて説明する。なお、図６（ａ）（ｂ）では、アーム部３２と保護カバー２０の胴部２１との間に形成される隙間Ｓ２を例示しており、図６（ｂ）に示すように、隙間Ｓ２を通じて釣糸Ｌが侵入する例を示している。
本実施形態が前記第１実施形態と異なるところは、保護カバー２０の胴部２１がリール本体１に一体形成されている点である。
【００４７】
蓋部２２は、リール本体１とは別体で形成されており、円板状を呈している。蓋部２２は、胴部２１の先端部２１ａに取り付けられ、胴部２１と一体となって保護カバー２０を構成している。蓋部２２の外径は、胴部２１の先端部２１ａの外径よりも大きく形成されており、蓋部２２を胴部２１の先端部２１ａに取り付けることにより、蓋部２２の外周縁部が径方向に突出するようになっている。本実施形態では、この突出した部分により鍔部２３が形成されている。
蓋部２２の取り付けは、図示しないボルトを螺合させたり、図示しない係合構造等により行うことができる。
【００４８】
蓋部２２の内縁部には、内輪１３との間にシール部材２２ｃが介設されている。
なお、本実施形態では、保護カバー２０に磁気シール機構２５が設けられていないものを示したが、これを有する構成としもよい。
【００４９】
本実施形態においても、図６（ｂ）に示すように、アーム部３２と保護カバー２０の胴部２１との間に形成される隙間Ｓ２を通じて釣糸Ｌが侵入した場合に、ロータ３の内側における保護カバー２０の前部周りの比較的狭い空間内において、鍔部２３に釣糸Ｌを係止することができ、鍔部２３よりも前方への釣糸Ｌの移動を規制することができる。
【００５０】
本実施形態の魚釣用スピニングリールによれば、第１実施形態で説明したものと同様の作用効果が得られる。
また、蓋部２２を胴部２１（リール本体１）に装着することで、保護カバー２０に鍔部２３を簡単に設けることができるので、生産性が向上する。また、胴部２１がリール本体１に一体形成されているので、コストの低減が可能であるとともに生産性が向上するという利点が得られる。
【００５１】
（第３実施形態）
図７を参照して第３実施形態の魚釣用スピニングリールについて説明する。なお、図７（ａ）（ｂ）では、アーム部３２とリール本体１の基端部１ｃとの間に形成される開口を釣糸Ｌの侵入口として例示している。
本実施形態が前記第１，第２実施形態と異なるところは、保護カバー２０の胴部２１の後部（後端部）２１ｄに鍔部２３Ａが一体形成されている点である。
【００５２】
鍔部２３Ａは、胴部２１の後端部２１ｄから径方向外側に延出して釣糸係止部として機能するようになっており、周方向に連続して形成されている。鍔部２３Ａの外周部は、ロータ３のアーム部３２の連結部３２ａに対向しており、連結部３２ａの内面に非接触状態に配置されいる。これにより鍔部２３Ａは、アーム部３２とリール本体１の基端部１ｃとの間に形成された開口（釣糸Ｌの侵入口となる開口）を略塞ぐ状態に位置し、釣糸Ｌが係止される壁を構成している。
【００５３】
本実施形態では、図７（ｂ）に示すように、アーム部３２とリール本体１の基端部１ｃとの間に釣糸Ｌが入り込もうとしても、鍔部２３Ａに釣糸Ｌが係止され、ロータ３の内側への釣糸Ｌの侵入を好適に防止することができる。
【００５４】
本実施形態の魚釣用スピニングリールによれば、鍔部２３Ａにより、リール本体１の基端部１ｃとロータ３との開口の入口付近で釣糸Ｌを係止することができるので、この間を通じて釣糸Ｌが侵入することがなく、ロータ３の内側に配置される部材等に釣糸Ｌが食い込んだり絡み付いたりする現象を確実に防止することができる。
また、開口の入口付近で釣糸Ｌが係止されるので、係止された釣糸Ｌを容易に解くことができ、魚釣操作性に優れる。
【００５５】
なお、鍔部２３Ａは、リール本体１の基端部１ｃとロータ３との開口の入口付近よりも前方（入口付近よりも前方へ入り込んだ位置）に設けてもよい。また、鍔部２３Ａの外周部は、ロータ３のアーム部３２に対向するように設けてもよい。
【００５６】
また、前記実施形態では、鍔部２３，２３Ａを前端部や後端部に設けた例を示したが、胴部２１の前後方向の適宜の位置に設けてもよい。
【符号の説明】
【００５７】
１      リール本体                  ２０    保護カバー
３      ロータ                      ３２    アーム部
５      ハンドル                    ３５    ラインガイド
【図１】
2014166157.tif 000003
【図２】
2014166157.tif 000004
【図３】
2014166157.tif 000005
【図４】
2014166157.tif 000006
【図５】
2014166157.tif 000007
【図６】
2014166157.tif 000008
【図７】
2014166157.tif 000009